(57)【要約】【課題】均等に液剤を塗布できる櫛付き容器とする。【解決手段】櫛歯片４２に容器本体内に連通する連通孔４５を通じて液剤を櫛歯片４２間に注出する注出口４７を設ける。また、櫛歯片４２の先端の両側から弓状に凹んだ形状の段差４８を注出口４７を設けた位置よりやや基部側まで設けて、その外側を薄肉部４９とし、櫛歯片４２の周縁に薄肉部４９を設ける。これにより、注出口４７から注出してくる玉状の液剤が、段差４８に達すると、段差４８に沿って急速に拡がる。【選択図】　図３
2004033274.tif 000002
【特許請求の範囲】
【請求項１】
液剤を収容する容器本体の口縁に、複数本の櫛歯片を列設したキャップを取付けて、該容器本体内に収容した液剤を該櫛歯片から注出可能にした櫛付き容器において、
前記櫛歯片には、内部に前記容器本体内に連通する連通孔を通じて前記液剤を前記櫛歯片間に注出する注出口を設け、また、該注出口を設けた部位よりも少なくとも先端側に、段差により櫛歯片の厚みを薄くした薄肉部を該櫛歯片の周縁に設けていることを特徴とする櫛付き容器。
【請求項２】
櫛歯片の先端の両側から弓状に凹んだ形状の段差が注出口を設けた位置より基部側まで設けられていることを特徴とする請求項１記載の櫛付き容器。
【発明の詳細な説明】
【０００１】
【発明の属する技術分野】
この発明は、容器本体に充填された毛染め料や頭髪料などの液剤を、容器本体から頭髪に直接塗布するための櫛付き容器に関する。
【０００２】
【従来の技術】
容器内に溜められている毛染め料や頭髪料などの液剤を、頭髪に直接塗布できるように、容器本体に櫛歯片を列設したキャップを取付けた櫛付き容器が広く使用されている。これら櫛付き容器では、特開平１０−１３７０２９号公報などに開示されているように、列設された櫛歯片の各中間部に注出口を形成し、この注出口から液剤を注出可能にしている。かかる櫛付き容器では、注出口から流出した液剤を毛髪に塗布するものであるが、毛髪に均等に付着されなかったり、液剤が垂れ落ちたりすることがあった。
【０００３】
これらを解決するために、特開２００１−２７５７３９号公報には、櫛歯片の注出口より先側に、横方向に複数の溝と突条とを設けて凹凸形状として、櫛歯片先端からの液剤のタレ落ちを防止する櫛付き容器が開示されている。
また、特開２００１−２７５７５２号公報には、櫛歯の先端部を玉状に膨出させた突片を設けて、櫛歯片の先端からの液剤のタレ落ちを防止する櫛付き容器が開示されている。
【０００４】
【発明が解決しようとする課題】
しかし、特開２００１−２７５７３９号公報に開示された櫛付き容器では、薄い櫛歯片の先端に横溝と横突条を設けて凹凸形状にしているために、櫛歯片の先端が剛性に欠けることになり、安定して頭髪を梳くことが難しくなり易い。一方、剛性を高めるために浅い凹凸形状にすると、十分に液剤のタレ落ちを防止することができなかった。また、特開２００１−２７５７５２号公報に開示された櫛付き容器では、櫛歯片の先端部に膨出させた突片を設けているために、注出口から流出した液剤が毛髪の根本まで届きにくくなり、均等に液剤を塗布することが困難になる。また、薄い櫛歯片の先端部に膨出させた突片を設けているために、その成形型に割型を用いる等、その成形が容易ではないという課題を有している。
【０００５】
そこで、本発明では、櫛歯片には、注出口を設けた部位よりも少なくとも先端側に、段差をもって薄く形成した薄肉部をその周囲に設けている。
【０００６】
【課題を解決するための手段】
請求項１の発明では、櫛歯片には、内部に容器本体内に連通する連通孔を通じて液剤を櫛歯片間に注出する注出口を設け、また、注出口を設けた部位よりも少なくとも先端側に、段差をもって薄く形成した薄肉部を櫛歯片の周縁に設けている。
これにより、頭髪に液剤を塗布するに際しては、注出口から注出された液剤は、玉状に注出され、段差に達すると、急速に段差に沿って拡がる。すなわち、液剤が櫛歯片の周縁まで急速に広がり、頭髪に均一に塗布されることになる。
【０００７】
請求項２の発明では、櫛歯片の先端の両側から弓状に凹んだ形状の段差が注出口を設けた位置より基部側まで設けられている。
これによって、注出口から段差までの距離を短くすることができて、素早く液剤が広がり易い。同時に、薄肉部に液剤が多量に貯留される。
【０００８】
【発明の効果】
以上説明したように、請求項１の発明では、櫛歯片には、内部に容器本体内に連通する連通孔を通じて液剤を櫛歯片間に注出する注出口を設け、また、注出口を設けた部位よりも少なくとも先端側に、段差をもって薄く形成した薄肉部を櫛歯片の周縁に設けていることによって、頭髪に液剤を均一に塗布できるという効果を奏する。
【０００９】
請求項２の発明では、櫛歯片の先端の両側から弓状に凹んだ形状の段差が注出口を設けた位置より基部側まで設けていることによって、さらに、頭髪に液剤を均一に塗布できるという効果を奏する。
【００１０】
【発明の実施の形態】
以下、この発明を液剤として頭髪染色液を充填した櫛付き容器に適用した実施例１を図１〜図７を参照して説明する。
この実施例１では、図１に示すように、有底筒状とされた容器本体１の広口の口縁１ａの外周に雄ねじ部１ｂが形成されている。この口縁１ａにキャップ２が密閉状に取付けられている。
【００１１】
プラスチック製のキャップ２は、円筒状のキャップ体２０の内周に口縁１ａの雄ねじ部１ｂに外螺合する雌ねじ部が設けられて、頭髪染色液の液漏れが防止されている。また、キャップ体２０の頂面の偏った部位に櫛体取付筒２１が一体成形により形成されていて、この櫛体取付筒２１に櫛体３０が内嵌めされている。
【００１２】
図２に示すように、櫛体３０は、先端が閉止されている円筒状の櫛背３１と、櫛背３１の側面に取付られた櫛歯体４０とからなり、櫛体取付筒２１に櫛背３１が連結されている。また、櫛背３１の側面には平面に形成した取付台３３が形成され、その基部と先端部に櫛歯の両側端になる端部櫛歯片３４ａ、３４ｂが立設されている。この取付台３３には、挿入孔３５が列設されて、後述する櫛歯体４０の各連通筒４３の端部が挿入されて櫛体取付筒２１に連通している。なお、この実施例では１４個の挿入孔３５が設けられ、また、取付台３３の四隅にピン孔３６が設けられている。
【００１３】
櫛歯体４０は、方形のベース板４１に薄肉平板状の複数の櫛歯片４２が立設されている。なお、この実施例１では、１４本の櫛歯片４２とその両側に配置される２本の端部櫛歯片３４ａ、３４ｂの合計１６本からなる櫛歯片により櫛歯列が形成されている。この各櫛歯片４２の基部となるベース板４１には、下方に向けて連通筒４３が突出形成されている。また、ベース板の下面四隅には、取付台のピン孔３６に挿入されるピン４４が突出して設けられて、仮にベース板４１から櫛歯体４０が僅かに浮くようなことがあっても、このピン４４によって取付台３３とベース板４１の間に頭髪が入り込むことが防止されている。
【００１４】
櫛歯体４０は、図３，図４に示すように、ほぼベース板４１から、その左右の同じ幅で立ち上がり、略１／２の高さから先端にかけて先細りの形状に成形されている。また、その内部には連通筒４３に連通して、容器本体１内に連通する連通孔４５がベース板４１の上面から略３／４の高さ位置まで形成されている。そして、この連通孔４３の先端に、櫛歯片４２の側面、すなわち、隣接する櫛歯片４２に向けて注出口４７が開口している。これによって、容器本体１内に収容されている頭髪染色液が、櫛歯片４２間に注出可能とされている。なお、櫛歯列の外側に位置する両端部櫛歯片３４ａ、３４ｂには、連通孔４５が設けられていないために、櫛歯列の外側に頭髪染色液が流れ出ない。
【００１５】
さて、図３〜図５に示すように、各櫛歯片４２には、隣接する櫛歯片４２に対向する櫛歯面４６の両側周縁に、その先端側から注出口４７を設けた位置より基部側まで段差４８をもって櫛歯片の厚みを薄くした薄肉部４９が設けられている。すなわちこの実施例では、櫛歯片４２の先端の両側から弓状に凹んだ形状の段差４８が注出口４７を設けた位置よりやや基部側まで設けられて、その外側が薄肉部４９とされている。
【００１６】
この構成により、頭髪に頭髪染色液を塗布するに際して、頭髪が各櫛歯片４２によって梳かれながら、注出口４７から注出された頭髪染色液によって染められていく。この際、櫛歯片４２の先側に薄肉部４９が設けられて、櫛歯片４２の周縁が薄くなっているために、櫛の通りがよく、スムーズに梳くことができる。
【００１７】
また、注出口４７から注出された頭髪染色液Ｗは、図６に示すように、玉状に注出される。そして、頭髪染色液Ｗが、櫛歯面４６の段差４８に達すると、その表面張力の作用により、図７に示すように、急速に段差４８に沿って拡がっていく。すなわち、段差４８を設けたことによって、頭髪染色液Ｗが櫛歯片４２の周縁まで急速に広がり、頭髪に均一に塗布される。同時に、段差４８によって櫛歯面４６に凹部が形成されることになり、この凹部内の一部の頭髪染色液Ｗは、梳かれる頭髪によって一度に拭い去らないで、順次拭われていくことになるために、頭髪への塗布がより均一になる。
【００１８】
また、頭髪染色液Ｗが段差４８に沿って櫛歯片４２の先端側に広がるために、頭髪の生え際や、髪の根本などにも的確に塗布される。特に、この実施例では、段差４８が櫛歯片４２の先端の両側から弓状に凹んだ形状とされているために、注出口４７から段差４８までの距離が短く、素早く段差４８に沿って頭髪染色液Ｗが広がり易く、また、薄肉部４９に頭髪染色液Ｗを多量に貯留することができる。
【００１９】
なお、上述した実施例１においては、容器本体１の口縁１ａの外周に形成した雄ねじ部１ｂにキャップ２を直接取り付けて、容器本体１の容器胴を軽く押圧することによって頭髪染色液を注出することにしている。容器本体１とキャップ２の間に例えば特開平１１−２５３２２５公報に示されるように、吐出ポンプを設けて、頭髪染色液を注出する構成とすることもできる。
【００２０】
以上詳述した実施例１においては、櫛歯片４２では、その先端の両側から弓状に凹んだ形状の段差４８が注出口４７を設けた部位よりやや基部側まで設けた例を示した。段差４８を設ける部位やその形状は、これに限られることなく適宜実施することができる。図８に示す櫛歯片５０は、実施例２を示し、櫛歯片５０の先端の両側から直線的な段差５１を、注出口４７よりやや基部側まで設けた例である。このように直線的に段差５１を設けたものでは、粘性が大きな頭髪染色液であっても先端まで拡がりやすい。
【００２１】
図９に示す実施例３の櫛歯片６０では、段差６１を注出口４７の周囲を囲み、注出口４７よりやや基部側で外側横方向に形成した例である。この構成の段差６１により、頭髪染色液が貯留されやすく、均一に塗布されやすくなる。
【００２２】
図１０に示す実施例４の櫛歯片７０では、櫛歯片７０の周縁に沿って段差７１を形成した例である。この例では、櫛歯片７０の周縁が薄肉部から構成されているために通りのよい櫛とすることができる。
【００２３】
図１１に示す実施例５の櫛歯片８０は、図３に示す実施例１と同様に櫛歯片８０の先端の両側から弓状に凹んだ形状の段差８１が注出口４７よりやや基部側まで設けている。そして、櫛歯片８０の両側にさらにブラシピン８２を設けた例である。このブラシピン８２を設けたことにより、さらに頭髪染色液を均一に塗布することができる。
【図面の簡単な説明】
【図１】縦断正面図
【図２】櫛体の分離斜視図
【図３】櫛歯体の側面図
【図４】櫛歯体の一部の縦断面図
【図５】第３図Ａ−Ａ線断面図
【図６】頭髪染色液が注出口から注出し始めた状態を示す説明図
【図７】頭髪染色液がタレ落ちる状態を示す説明図
【図８】実施例２の櫛歯片の一部の側面図
【図９】実施例３の櫛歯片の一部の側面図
【図１０】実施例４の櫛歯片の一部の側面図
【図１１】実施例５の櫛歯片の一部の側面図
【符号の説明】
１…容器本体
２…キャップ
４０…櫛歯体
４２…櫛歯片
４５…連通孔
４６…櫛歯面
４７…注出口
４８…段差
４９…薄肉部
【図１】
2004033274.tif 000003
【図２】
2004033274.tif 000004
【図３】
2004033274.tif 000005
【図４】
2004033274.tif 000006
【図５】
2004033274.tif 000007
【図６】
2004033274.tif 000008
【図７】
2004033274.tif 000009
【図８】
2004033274.tif 000010
【図９】
2004033274.tif 000011
【図１０】
2004033274.tif 000012
【図１１】
2004033274.tif 000013